(57)【要約】【課題】通信システムの利便性を高めつつ、移動機が固有の電話番号及び代表電話により通信できるようにする。【解決手段】移動機１は、複数の網毎に固有の電話番号で通信可能とされつつ、各網共通の代表番号により該各網で通信可能とされている。ＳＧＳＮ３には、固有の電話番号（子番号）及び代表番号、並びにそれら電話番号のうちで、移動機１が通信に使用する電話番号を示す使用番号フラグが加入者プロファイル３ａとして登録されており、ＳＧＳＮ３は、移動機１と処理サーバ２との通信に際して、ＧＧＳＮ４に、それら情報を送信する。ＧＧＳＮ４では、ＳＧＳＮ３からの送信情報の使用番号フラグで指示されている電話番号で処理サーバ２に接続する。【選択図】図３
2008079087.tif 000002
【特許請求の範囲】
【請求項１】
無線により通信可能な通信端末である移動機と他の通信端末との通信を行う通信サーバにおいて、
前記移動機が、複数の網毎に固有の電話番号で通信可能とされつつ、各網共通の代表の電話番号により該各網で通信可能とされており、
前記固有の電話番号及び代表の電話番号のうち、どの電話番号で前記移動機が通信するかを示す情報が登録され、該登録情報に基づいて、前記固有の電話番号及び代表の電話番号のうちの何れかを、前記移動機が通信に使用する電話番号となるようにして、前記移動機と前記他の通信端末との通信を可能にすることを特徴とする通信サーバ。
【請求項２】
前記移動機と他の通信端末との通信時に、前記移動機が接続される通信サーバであり、
前記登録情報として、前記固有の電話番号及び代表の電話番号、並びにそれら電話番号のうちで、前記移動機が通信に使用する電話番号を示す付加情報が登録されており、前記移動機と他の通信端末との通信に際して、前記他の通信端末が接続される通信サーバに、それら登録情報を送信することを特徴とする請求項１に記載の通信サーバ。
【請求項３】
前記移動機と他の通信端末との通信時に、前記他の通信端末が接続される通信サーバであり、
前記登録情報として、前記他の通信端末が通信可能な移動機の電話番号の種類が登録されており、前記移動機の前記固有の電話番号及び代表の電話番号のうち、前記登録されている電話番号の種類の電話番号により、該移動機と前記他の通信端末との通信を行うことを特徴とする請求項１に記載の通信サーバ。
【請求項４】
前記移動機と他の通信端末との通信時に、前記他の通信端末が接続される通信サーバであり、
前記登録情報として、前記固有の電話番号及び代表の電話番号が登録されており、前記他の通信端末が前記移動機に接続要求する際、前記登録されている固有の電話番号及び代表の電話番号のうちから、前記移動機への接続に対応した一の電話番号を選択して、選択した電話番号で前記移動機に接続要求して、前記移動機と前記他の通信端末との通信を行うことを特徴とする請求項１に記載の通信サーバ。
【請求項５】
無線により通信可能な通信端末である移動機と他の通信端末とがそれぞれ接続される各通信サーバを介して、前記移動機と他の通信端末との間で通信を行う通信システムにおいて、
前記移動機が、複数の網毎に固有の電話番号で通信可能とされつつ、各網共通の代表の電話番号により該各網で通信可能とされており、
前記移動機が接続される通信サーバには、前記固有の電話番号及び代表の電話番号、並びにそれら電話番号のうちで、前記移動機が通信に使用する電話番号を示す付加情報が登録されており、該通信サーバは、前記移動機と他の通信端末との通信に際して、前記他の通信端末が接続される通信サーバに、それら登録情報を送信し、
前記他の通信端末が接続される通信サーバは、前記移動機が接続される通信サーバから送信されてくる前記付加情報に基づいて、同送の前記固有の電話番号及び代表の電話番号のうちの何れかにより、前記他の通信端末に接続することを特徴とする通信システム。
【請求項６】
前記他の通信端末が接続される通信サーバには、前記他の通信端末が通信可能な移動機の電話番号の種類が登録されており、該通信サーバは、該電話番号の種類と、前記移動機が接続される通信サーバから送信されてくる前記付加情報とに基づいて、同送の前記固有の電話番号及び代表の電話番号のうちから選択した一の電話番号により、前記他の通信端末に接続することを特徴とする請求項５に記載の通信システム。
【請求項７】
無線により通信可能な通信端末である移動機と他の通信端末とがそれぞれ接続される各通信サーバを介して、前記移動機と他の通信端末との間で通信を行う通信方法において、
前記移動機が、複数の網毎に固有の電話番号で通信可能とされつつ、各網共通の代表の電話番号により該各網で通信可能とされており、
前記移動機が接続される通信サーバに、前記固有の電話番号及び代表の電話番号、並びにそれら電話番号のうちで、前記移動機が通信に使用する電話番号を示す付加情報を登録するとともに、前記他の通信端末が接続される通信サーバに、前記他の通信端末が通信可能な移動機の電話番号の種類を登録するステップと、
前記移動機が接続される通信サーバが、前記移動機と他の通信端末との通信に際して、前記他の通信端末が接続される通信サーバに前記固有の電話番号、代表の電話番号及び付加情報を送信するステップと、
前記他の通信端末が接続される通信サーバが、前記移動機と他の通信端末との通信に際して、前記登録されている電話番号の種類と、前記移動機が接続される通信サーバから送信されてくる前記付加情報とに基づいて、同送の前記固有の電話番号及び代表の電話番号のうちから選択した一の電話番号により、前記他の通信端末に接続するステップと、
を含むことを特徴とする通信方法。
【発明の詳細な説明】
【技術分野】
【０００１】
本発明は、無線により通信可能な通信端末である移動機と他の通信端末とを通信可能にするための通信サーバ、通信システム及び通信方法に関する。
【背景技術】
【０００２】
特許文献１には、複数の電話番号を一の携帯電話機で使用することができる移動通信システムが提案されている。
この移動通信システムでは、移動通信端末（携帯電話機）が他の通信端末に発呼する際に、前記移動通信端末から送信される、前記移動通信端末を特定するための第１端末情報及び該第１端末情報に関連付けられた付加情報と前記他の通信端末を特定するための第２端末情報と、を受信する発呼要求受信手段と、当該受信した第１端末情報及び付加情報に基づいて、前記他の通信端末に通知するための付加番号を特定する付加番号特定手段と、当該特定した付加番号を使用して前記他の通信端末の呼び出しを要求する呼出要求手段と、を備えている。
【０００３】
これにより、発呼しようとする移動通信端末から第１端末情報と付加情報とを受け取って、その付加情報により特定した付加番号で他の通信端末の呼び出しを要求することで、複数の番号を使って発呼を行っている。
【特許文献１】特開２００５−３４０９６２号公報
【発明の開示】
【発明が解決しようとする課題】
【０００４】
ところで、一の携帯電話機で、網毎に固有の電話番号で発信可能としつつ、各網で共通の代表の電話番号（代表番号）を用いて発信可能な通信システムが提案されている。
例えば、３ＧＰＰ（3rd Generation Partnership Project）準拠のＰＳドメイン網（以下、３ＧＰＰ網という。）とＷＬＡＮ（WirelessLocal Area Network）とで構築されているパケット通信網において、一の携帯電話機により、３ＧＰＰ網では、固有の電話番号（０９０番号）で発信可能とし、ＷＬＡＮでも、固有の電話番号（０５０番号）で発信可能としつつ、さらに、３ＧＰＰ網及びＷＬＡＮで利用可能な代表番号（例えば０Ａ０番号）により発信可能な通信システムが提案されている。
【０００５】
このような通信システムにおいて、携帯電話機で使用可能な固有の電話番号及び代表番号、並びに該携帯電話機でユーザが主に使用する電話番号（例えば代表電話）の情報を、網の通信サーバ（例えば３ＧＰＰ網又はＷＬＡＮの通信サーバ）で管理することで、該通信システムの利便性を高めつつ、固有の電話番号及び代表電話により通信ができるようになる。
例えば、携帯電話機が他の通信端末を呼び出す際に、網の通信サーバで、その管理している電話番号（ユーザが主に使用する電話番号）を選択して呼び出すようにすれば、携帯電話機側では何ら設定を要することなく、ユーザが主に使用する電話番号で他の通信端末を呼び出すことができる。
【０００６】
なお、前記特許文献１の移動通信システムでも、複数の電話番号のうちの一の電話番号で他の通信端末を呼び出すことも可能である。しかし、この移動通信システムは、あくまでも発呼しようとする携帯電話端末で設定される情報に基づいて、所望の電話番号を選択して他の通信端末を呼び出すために、該携帯電話端末側で設定が必要になり、該携帯電話端末にそのための構造を備える必要がある。一般に、発売済みの既存の該携帯電話端末に機能追加することは不可能である。
本発明の課題は、既存の該携帯電話端末に改変を加えることなく、通信システムの利便性を高めつつ、固有の電話番号及び代表電話により通信ができるようにすることである。
【課題を解決するための手段】
【０００７】
前記課題を解決するために、請求項１に記載の通信サーバは、無線により通信可能な通信端末である移動機と他の通信端末との通信を行う通信サーバにおいて、前記移動機が、複数の網毎に固有の電話番号で通信可能とされつつ、各網共通の代表の電話番号により該各網で通信可能とされており、前記固有の電話番号及び代表の電話番号のうち、どの電話番号で前記移動機が通信するかを示す情報が登録され、該登録情報に基づいて、前記固有の電話番号及び代表の電話番号のうちの何れかを、前記移動機が通信に使用する電話番号となるようにして、前記移動機と前記他の通信端末との通信を可能にすることを特徴とする。
【０００８】
また、請求項２に記載の通信サーバは、請求項１において、前記移動機と他の通信端末との通信時に、前記移動機が接続される通信サーバであり、前記登録情報として、前記固有の電話番号及び代表の電話番号、並びにそれら電話番号のうちで、前記移動機が通信に使用する電話番号を示す付加情報が登録されており、前記移動機と他の通信端末との通信に際して、前記他の通信端末が接続される通信サーバに、それら登録情報を送信することを特徴とする。
【０００９】
また、請求項３に記載の通信サーバは、請求項１において、前記移動機と他の通信端末との通信時に、前記他の通信端末が接続される通信サーバであり、前記登録情報として、前記他の通信端末が通信可能な移動機の電話番号の種類が登録されており、前記移動機の前記固有の電話番号及び代表の電話番号のうち、前記登録されている電話番号の種類の電話番号により、該移動機と前記他の通信端末との通信を行うことを特徴とする。
【００１０】
また、請求項４に記載の通信サーバは、請求項１において、前記移動機と他の通信端末との通信時に、前記他の通信端末が接続される通信サーバであり、前記登録情報として、前記固有の電話番号及び代表の電話番号が登録されており、前記他の通信端末が前記移動機に接続要求する際、前記登録されている固有の電話番号及び代表の電話番号のうちから、前記移動機への接続に対応した一の電話番号を選択して、選択した電話番号で前記移動機に接続要求して、前記移動機と前記他の通信端末との通信を行う。
【００１１】
また、請求項５に記載の通信システムは、無線により通信可能な通信端末である移動機と他の通信端末とがそれぞれ接続される各通信サーバを介して、前記移動機と他の通信端末との間で通信を行う通信システムにおいて、前記移動機が、複数の網毎に固有の電話番号で通信可能とされつつ、各網共通の代表の電話番号により該各網で通信可能とされており、前記移動機が接続される通信サーバには、前記固有の電話番号及び代表の電話番号、並びにそれら電話番号のうちで、前記移動機が通信に使用する電話番号を示す付加情報が登録されており、該通信サーバは、前記移動機と他の通信端末との通信に際して、前記他の通信端末が接続される通信サーバに、それら登録情報を送信し、前記他の通信端末が接続される通信サーバは、前記移動機が接続される通信サーバから送信されてくる前記付加情報に基づいて、同送の前記固有の電話番号及び代表の電話番号のうちの何れかにより、前記他の通信端末に接続することを特徴とする。
【００１２】
また、請求項６に記載の通信システムは、請求項５において、前記他の通信端末が接続される通信サーバには、前記他の通信端末が通信可能な移動機の電話番号の種類が登録されており、該通信サーバは、該電話番号の種類と、前記移動機が接続される通信サーバから送信されてくる前記付加情報とに基づいて、同送の前記固有の電話番号及び代表の電話番号のうちから選択した一の電話番号により、前記他の通信端末に接続することを特徴とする。
【００１３】
また、請求項７に記載の通信方法は、無線により通信可能な通信端末である移動機と他の通信端末とがそれぞれ接続される各通信サーバを介して、前記移動機と他の通信端末との間で通信を行う通信方法において、前記移動機が、複数の網毎に固有の電話番号で通信可能とされつつ、各網共通の代表の電話番号により該各網で通信可能とされており、前記移動機が接続される通信サーバに、前記固有の電話番号及び代表の電話番号、並びにそれら電話番号のうちで、前記移動機が通信に使用する電話番号を示す付加情報を登録するとともに、前記他の通信端末が接続される通信サーバに、前記他の通信端末が通信可能な移動機の電話番号の種類を登録するステップと、前記移動機が接続される通信サーバが、前記移動機と他の通信端末との通信に際して、前記他の通信端末が接続される通信サーバに前記固有の電話番号、代表の電話番号及び付加情報を送信するステップと、前記他の通信端末が接続される通信サーバが、前記移動機と他の通信端末との通信に際して、前記登録されている電話番号の種類と、前記移動機が接続される通信サーバから送信されてくる前記付加情報とに基づいて、同送の前記固有の電話番号及び代表の電話番号のうちから選択した一の電話番号により、前記他の通信端末に接続するステップと、を含むことを特徴とする。
【発明の効果】
【００１４】
本発明によれば、通信サーバに固有の電話番号及び代表の電話番号のうち、どの電話番号で移動機が通信するかを示す情報を登録し、該登録情報に基づいて、固有の電話番号及び代表の電話番号のうちの何れかを、移動機が通信に使用する電話番号となるようにすることで、固有の電話番号及び代表の電話番号のうちの一の電話番号、例えば移動機のユーザが主に使用する電話番号を用いて、他の通信端末との通信が可能になる。また、これにより、通信サーバ上の処理内で、固有の電話番号及び代表の電話番号のうちの一の電話番号を用いて、移動機と他の通信端末との通信が可能になる。
【００１５】
また、本発明によれば、移動機が接続される通信サーバに、登録情報として、固有の電話番号及び代表の電話番号、並びにそれら電話番号のうちで、移動機が通信に使用する電話番号を示す付加情報を登録し、該通信サーバが、移動機と他の通信端末との通信に際して、他の通信端末が接続される通信サーバに、それら登録情報を送信することで、他の通信端末が接続される通信サーバでは、送信されてくる登録情報内の付加情報に基づいて、該他の通信端末と移動機と通信可能な一の電話番号により、他の通信端末に接続できるようになる。これにより、固有の電話番号及び代表の電話番号のうちの一の電話番号、例えば移動機のユーザが主に使用する電話番号を用いて、他の通信端末との通信が可能になる。また、これにより、通信サーバ上の処理内で、固有の電話番号及び代表の電話番号のうちの一の電話番号を用いて、移動機と他の通信端末との通信が可能になる。
【００１６】
また、本発明によれば、他の通信端末が接続される通信サーバに、登録情報として、他の通信端末が通信可能な移動機の電話番号の種類を登録し、該通信サーバが、移動機の固有の電話番号及び代表の電話番号のうち、その登録されている電話番号の種類の電話番号により、該移動機と他の通信端末との通信を行うことで、他の通信端末が接続される通信サーバにて、他の通信端末が通信できる電話番号の種類に制限をかけることを可能としつつも、固有の電話番号及び代表の電話番号のうちの一の電話番号、例えば移動機のユーザが主に使用する電話番号を用いて、移動機と他の通信端末との通信が可能になる。また、これにより、通信サーバ上の処理内で、固有の電話番号及び代表の電話番号のうちの一の電話番号を用いて、移動機と他の通信端末との通信が可能になる。
【００１７】
また、本発明によれば、他の通信端末が接続される通信サーバに、登録情報として、固有の電話番号及び代表の電話番号を登録し、該通信サーバが、他の通信端末が移動機に接続要求する際、登録されている固有の電話番号及び代表の電話番号のうちから、移動機への接続に対応した一の電話番号を選択して、選択した電話番号で移動機に接続要求することで、他の通信端末から移動機に接続要求する場合でも、固有の電話番号及び代表の電話番号のうちから、移動機の接続に適した一の電話番号を用いて、移動機と他の通信端末との通信が可能になる。
【発明を実施するための最良の形態】
【００１８】
本発明を実施するための最良の形態（以下、実施形態という。）を図面を参照しながら詳細に説明する。
（第１の実施形態）
先ず、第１の実施形態を説明する。
（構成）
第１の実施形態は、本発明を適用した通信システムである。
図１は、通信システムを用いる前提となる通信網を示す。
図１に示すように、移動機（携帯電話端末）１が使用可能な通信網は、複数の網で構築されており、少なくとも３ＧＰＰ網（３ＧＰＰ準拠のＰＳドメイン網）１００、ＷＬＡＮ（WirelessLocal Area Network）２００を含んで構成されている。なお、固定電話網３００は該通信網において必須ではないが、この例では固定電話網３００を加えている。
【００１９】
図２は、このように構築した移動網で使用可能な移動機（携帯電話端末）１に付与されている電話番号を示す。
図２に示すように、移動機１は、３ＧＰＰ網１００で使用する固有の電話番号（090-xxxx-xxxx（０９０番号））、ＷＬＡＮ２００で使用する固有の電話番号（050-zzzz-zzzz（０５０番号））で通信（発信及び着信）が可能になっている。さらに、移動機１は、３ＧＰＰ網１００及びＷＬＡＮ２００でも利用可能な代表番号（例えば0A0-yyyy-yyyy（０Ａ０番号））による通信サービス（以下、ワンナンバーサービスと称す。）が使用可能になっている。これにより、ユーザは、３ＧＰＰ網１００及びＷＬＡＮ２００のどれからでも、網を意識せず、代表番号（０Ａ０番号）で発信（発呼）して相手（他の通信端末）に自分を識別させることができる。
【００２０】
図３は、３ＧＰＰ網における通信システムの構成を示す。この通信システムは、基本的には３ＧＰＰ網に適合するように構成されており、さらに、３ＧＰＰ網の電話番号（０９０番号）の他に代表番号で通信が可能となるように構成されている。
図３に示すように、通信システムは、移動機（携帯電話端末）１と、処理サーバ２と、ＳＧＳＮ（Serving GPRS Support Node）３と、ＧＧＳＮ（GatewayGPRS Support Node）４とで構成されている。
【００２１】
移動機１には、前述のように、３ＧＰＰ網の固有の電話番号（０９０番号、以下の説明では子番号ともいう。）の他に、代表番号（０Ａ０番号）が割り当てられている。なお、移動機１には、ＷＬＡＮの固有の電話番号（０５０番号）も割り当てられている。この移動機１では、３ＧＰＰ網での発信番号に「子番号（０９０番号）」及び「代表番号（０Ａ０番号）」の何れを使用するかを、ユーザによる選択が可能になっている。また着信時にはどちらの番号でも着信できる。
【００２２】
ＳＧＳＮ３及びＧＧＳＮ４は、３ＧＰＰ網のパケット網を構成するノードである。ＳＧＳＮ３は、無線アクセスネットワーク側との接続に、ＧＧＳＮ４は、インターネットに接続するためのＩＳＰ（InternetService Provider）や企業網と接続される。これにより、３ＧＰＰ網の中で、基地局を通じて移動機１に対してパケットの送受信(＝インターネット通信)ができるようになっている。
【００２３】
本実施形態では、移動機１と処理サーバ２との通信の際に、ＳＧＳＮ３に移動機１が接続され、ＧＧＳＮ４に処理サーバ２が接続される。すなわち、ＳＧＳＮ３は、移動機１の発着信を制御可能に構成されており、ＧＧＳＮ４は、処理サーバ２の発着信を制御可能に構成されている。また、ＳＧＳＮ３は、登録情報として加入者プロファイル３ａを保持しており、移動機１から発信処理要求（発呼処理要求）があった場合、加入者プロファイル３ａの情報に基づく発信を行っている。
【００２４】
図４は、加入者固有の情報からなる加入者プロファイル３ａの構成を示す。
図４に示すように、加入者プロファイル３ａは、加入者Ａ、Ｂ、Ｃ、・・・毎の「使用番号フラグ」、「代表番号」、「子番号」から構成されている。
「子番号」は、前述のように、３ＧＰＰ網の固有の電話番号（０９０番号）である。「代表番号」は、前述のように、３ＧＰＰ網以外の通信網（ここではＷＬＡＮ）でも使用可能な電話番号である。「使用番号フラグ」は、３ＧＰＰ網で「子番号」を使用するか、「代表番号」を使用するかを決めるフラグ（付加情報）である。「使用番号フラグ」は、ユーザにより選択可能になっており、これにより、ユーザは、「使用番号フラグ」を通常用いる電話番号に設定することで、該電話番号で発信することができるようになる。「使用番号フラグ」は特番発信操作によりユーザが任意に設定変更できる。特番発信によりプロファイルを書き換える技術は一般的なものなので詳細は割愛する。
【００２５】
（動作）
通信システムの動作は次のようになる。
図５は、移動機（ＵＥ：User Equipment）１からの発信要求をした場合の通信システムにおけるシーケンスを示す。
移動機（ＵＥ：User Equipment）１からの発信要求として、移動機１からＳＧＳＮ３にActivate PDP Context Requestを送る。ActivatePDP Context Requestは、ＳＧＳＮ３の発信処理を要求する信号（発信要求信号）である。これにより、ＰＤＰ（Packet DataProtocol）を活性化している。
【００２６】
ＳＧＳＮ３では、ＧＧＳＮ４にCreate PDP Context Requestを送る。Create PDP Context Requestは、ＳＧＳＮ３がＧＧＳＮ４へ発信処理を要求する信号（発信要求信号）である。このとき、ＳＧＳＮ３は、加入者プロファイル３ａに基づいて、同時にＭＳＩＳＤＮ（MobileStation ISDN number definition）として、子番号、代表番号及び使用番号フラグもＧＧＳＮ４に送る。なお、ＭＳＩＳＤＮは、移動機１の電話番号等からなる固有の情報である。
【００２７】
ＧＧＳＮ４では、使用番号フラグに応じた電話番号で処理サーバ２に接続する。すなわち、ＧＧＳＮ４は、使用番号フラグが代表番号であれば（使用番号フラグ＝代表番号）、ＭＳＩＳＤＮを代表番号として（ＭＳＩＳＤＮ＝代表番号）、処理サーバ２に接続通知をする。処理サーバ２では、これに応じてＧＧＳＮ４に接続通知応答をする。また、ＧＧＳＮ４は、使用番号フラグが子番号であれば（使用番号フラグ＝子番号）、ＭＳＩＳＤＮを子番号として（ＭＳＩＳＤＮ＝子番号）、処理サーバ２に接続通知をする。処理サーバ２では、これに応じてＧＧＳＮ４に接続通知応答をする。
ＧＧＳＮ４では、Create PDP Context Requestの応答信号となるCreate PDP Context ResponseをＳＧＳＮ３に送る。ＳＧＳＮ３では、これに応じてActivatePDP Contextの応答信号となるActivate PDP Context Acceptを移動機１に送る。
【００２８】
通信システムにおける以上のようなシーケンスにより、移動機（ＵＥ：User Equipment）１からの発信要求後、該移動機１と処理サーバ２とが通信可能になる。ここで、代表番号を通常使用する電話番号としている移動機１、すなわち加入者プロファイル３ａで使用番号フラグが代表番号に設定されている移動機１と、代表番号による通信を許可している処理サーバ２との間で通信可能になり、また、子番号を通常使用する電話番号としている移動機１、すなわち加入者プロファイル３ａで使用番号フラグが子番号に設定されている移動機１と、子番号による通信を許可している処理サーバ２との間で通信が可能になる。
【００２９】
このような通信システムにより例えば次のような通信サービスの提供が可能になる。
先ず、移動機１のユーザは、３ＧＰＰ網（０９０番号）及びＷＬＡＮ（０５０番号）によるワンナンバーサービスを契約する。その契約で、ユーザは、ワンナンバーサービスで付与される代表番号（０Ａ０番号）をメインで使う契約をする。これにより、ＳＧＳＮ３上で、その加入者プロファイル３ａに、３ＧＰＰ網の電話番号（０９０番号）が子番号として登録され、該契約で付与された番号（０Ａ０番号）が代表番号として登録されるとともに、使用番号フラグに代表番号が設定される。なお、移動機１において、３ＧＰＰ網に接続した状態の表示画面上で、その登録や変更をすることもできる。
【００３０】
一方、ユーザは、代表番号の通信相手となる処理サーバ２にも代表番号を登録する。例えば、次のような手順で登録をする。
ここで、処理サーバ２は、社員録中で予め登録された特定の社員に対して、該特定の社員からの要求（接続）があった場合に、その発信先（登録電話番号）に業務メッセージを送るサーバ（企業サーバ）であると仮定する。さらに、その特定の社員への登録を、登録画面等で行うものとし、その際に、業務メッセージの着信先の電話番号を登録しなければならないと仮定する。このようなことから、ユーザは、処理サーバ２に着信先となる代表番号を登録する。
【００３１】
これにより、移動機１から処理サーバ２に接続要求（発信）があった場合、ＳＧＳＮ３からＧＧＳＮ４に使用番号フラグが代表番号となっているCreate PDPContext Requestが送られるようになり、ＧＧＳＮ４では、代表番号により処理サーバ２への接続通知をする。処理サーバ２では、代表番号が登録されているので、これに応じてＧＧＳＮ４に接続通知応答をする。これにより、ＧＧＳＮ４では、CreatePDP Context Requestの応答信号となるCreate PDP Context ResponseをＳＧＳＮ３に送り、ＳＧＳＮ３では、これに応じてActivatePDP Context Acceptを移動機１に送ることで、移動機１と処理サーバ２とが通信可能となり、サーバから移動機１に業務メッセージが送られる。ユーザは、移動機１により業務メッセージを確認する。
【００３２】
なお、移動機１のユーザがワンナンバーサービスを契約する場合でも、その契約で、代表番号（０Ａ０番号）ではなく、３ＧＰＰ網の電話番号（子番号）をメインで使う設定をすれば、ＳＧＳＮ３の加入者プロファイル３ａには、使用番号フラグに「子番号」が登録される。この場合、ユーザは、処理サーバ２に子番号を登録すれば良い。
【００３３】
（作用及び効果）
以上のように、ＳＧＳＮ３に、子番号及び代表番号、並びにそれら電話番号のうちで、移動機１が通信に使用する電話番号を示す使用番号フラグを登録しつつ、ＳＧＳＮ３が、移動機１と処理サーバ２との通信に際して、処理サーバ２が接続されるＧＧＳＮ４に、それら登録情報を送信することで、処理サーバ２でも、使用番号フラグに対応する電話番号を登録しておくことが前提となるが、移動機１と処理サーバ２との間で、子番号及び代表番号のうちの一の電話番号、例えば、移動機１のユーザが主に使用する電話番号を用いた通信が可能になる。また、ＳＧＳＮ３上の処理内で、子番号及び代表番号のうちの一の電話番号を用いた通信が可能になり、通信システムの利便性を高めつつ、通信をすることができる。
【００３４】
例えば、図６（ａ）に示すように、ユーザは、網を意識しないで済む代表番号（０Ａ０番号）で発信したい場合には、使用番号フラグを代表番号にするだけで、処理サーバ２に接続することができ、図６（ｂ）に示すように、子番号（０９０番号）で発信したい場合には、使用番号フラグを子番号にするだけで、処理サーバ２に接続することができる。また、ＳＧＳＮ３で設定をするだけなので、通信システムの利便性を高めつつ、子番号や代表番号により処理サーバ２に接続することができる。
【００３５】
なお、前記実施形態を他の構成により実現することもできる。
すなわち、前記第１の実施形態では、３ＧＰＰ網１００で代表番号を使用する場合を前提に説明しているが、ＷＬＡＮで代表番号を使用する場合でも本発明を適用することができる。この場合、加入者プロファイル３ａで、子番号にＷＬＡＮの固有の電話番号（０５０番号）が登録されることになる。
【００３６】
なお、前記第１の実施形態の説明において、移動機１は、複数の網毎に固有の電話番号で通信可能とされつつ、各網共通の代表の電話番号により該各網で通信可能とされている移動機を実現しており、ＳＧＳＮ３は、無線により通信可能な通信端末である移動機と他の通信端末との通信を行う通信サーバであり、固有の電話番号及び代表の電話番号のうち、どの電話番号で移動機が通信するかを示す情報が登録され、該登録情報に基づいて、固有の電話番号及び代表の電話番号のうちの何れかを、移動機が通信に使用する電話番号となるようにして、移動機と他の通信端末との通信を可能にする通信サーバを実現している。
【００３７】
また、ＳＧＳＮ３は、移動機と他の通信端末との通信時に、移動機が接続される通信サーバであり、登録情報として、固有の電話番号及び代表の電話番号、並びにそれら電話番号のうちで、移動機が通信に使用する電話番号を示す付加情報が登録されており、移動機と他の通信端末との通信に際して、他の通信端末が接続される通信サーバに、それら登録情報を送信する通信サーバを実現している。
また、ＧＧＳＮ４は、移動機が接続される通信サーバから送信されてくる付加情報に基づいて、同送の固有の電話番号及び代表の電話番号のうちの何れかにより、他の通信端末に接続することを実現している。
【００３８】
（第２の実施形態）
次に第２の実施形態を説明する。
（構成）
第２の実施形態は、本発明を適用した通信システムである。
第２の実施形態では、ＧＧＳＮ４に接続されている複数のサーバ毎に使用番号を登録することができるようになっている。
図７は、第２の実施形態における通信システムの構成を示す。
図７に示すように、ＧＧＳＮ４は、登録情報として、ＡＰＮ（Access Point Name）プロファイル４ａを保持しており、第２の実施形態では、このＡＰＮプロファイル４ａに特徴がある。
【００３９】
図８は、ＡＰＮプロファイル４ａの構成を示す。
図８に示すように、ＡＰＮプロファイル４ａは、ＡＰＮ（サーバ）毎の「代表番号許可／拒否」から構成されている。
「代表番号許可／拒否」は、サーバが代表番号を使用することを許可しているか否かを示すものであり、「可」は、サーバが代表番号を使用することを許可していることを示し、「拒否」は、サーバが代表番号の使用を許可していないことを示す。よって、「代表番号許可／拒否」が「拒否」であれば、サーバが子番号を使用することを許可していることに示す。
【００４０】
（動作）
通信システムの動作は次のようになる。
図９は、移動機（ＵＥ：User Equipment）１からの発信要求をした場合の通信システムにおけるシーケンスを示す。
移動機（ＵＥ：User Equipment）１からの発信要求として、移動機１からＳＧＳＮ３にActivate PDP Context Requestを送る。これにより、ＰＤＰ（PacketData Protocol）を活性化している。
ＳＧＳＮ３では、ＧＧＳＮ４にCreate PDP Context Requestを送る。このとき、ＳＧＳＮ３は、前記第１の実施形態と同様に、加入者プロファイル３ａに基づいて、ＭＳＩＳＤＮ（MobileStation ISDN number definition）として、子番号、代表番号及び使用番号フラグも送る。
ＧＧＳＮ４では、使用番号フラグに応じた番号とＡＰＮプロファイル４ａとに基づいて、処理サーバ２に接続する。
【００４１】
すなわち、ＧＧＳＮ４は、使用番号フラグが代表番号であり（使用番号フラグ＝代表番号）、かつ、ＡＰＮプロファイル４ａにて、接続通知をする処理サーバ２に対応する「代表番号許可／拒否」が「可」であれば、ＭＳＩＳＤＮを代表番号として、処理サーバ２に接続通知をする。また、ＧＧＳＮ４は、使用番号フラグが代表番号であり（使用番号フラグ＝代表番号）、かつ、ＡＰＮプロファイル４ａにて、接続通知をする処理サーバ２に対応する「代表番号許可／拒否」が「拒否」であれば、ＭＳＩＳＤＮを子番号として、処理サーバ２に接続通知をする。処理サーバ２では、これに応じてＧＧＳＮ４に接続通知応答をする。
【００４２】
なお、ＧＧＳＮ４は、使用番号フラグが子番号であれば（使用番号フラグ＝子番号）、ＭＳＩＳＤＮを子番号として、処理サーバ２に接続通知をする。処理サーバ２では、これに応じてＧＧＳＮ４に接続通知応答をする。
ＧＧＳＮ４では、Create PDP Context Requestの応答信号となるCreate PDP Context ResponseをＳＧＳＮ３に送る。ＳＧＳＮ３では、これに応じてActivatePDP Contextの応答信号となるActivate PDP Context Acceptを移動機１に送る。
【００４３】
このような通信システムにより例えば次のような通信サービスの提供が可能になる。
先ず、移動機１のユーザは、３ＧＰＰ網（０９０番号）及びＷＬＡＮ（０５０番号）によるワンナンバーサービスを契約する。その契約で、ユーザは、ワンナンバーサービスで付与される代表番号（０Ａ０番号）をメインで使う設定をする。これにより、前記第１の実施形態と同様に、ＳＧＳＮ３上で、加入者プロファイル３ａに、３ＧＰＰ網の電話番号（０９０番号）が子番号として登録され、該契約で付与された番号（０Ａ０番号）が代表番号として登録され、使用番号フラグに代表番号が登録される。
【００４４】
一方、処理サーバ２では、接続可能な使用番号を制限する。そのために、処理サーバ２が接続されているＧＧＳＮ４のＡＰＮプロファイル４ａの「代表番号許可／拒否」の設定をする。ここで、代表番号による接続を許可する場合には、「代表番号許可／拒否」を「可」に設定し、代表番号による接続を拒否又は子番号の接続を許可する場合には、「代表番号許可／拒否」を「拒否」に設定する。
【００４５】
これにより、ユーザから移動機１によりサーバに接続要求（発信）があった場合には、ＳＧＳＮ３からＧＧＳＮ４に使用番号フラグが代表番号となっているCreatePDP Context Requestが送られるようになり、ＧＧＳＮ４では、処理サーバ２が代表番号による接続を許可している場合には（ＡＰＮプロファイル４ａにて該処理サーバ２の「代表番号許可／拒否」が「可」の場合）、代表番号により該処理サーバ２への接続通知をする。また、処理サーバ２が代表番号による接続を拒否している場合には（ＡＰＮプロファイル４ａにて該処理サーバ２の「代表番号許可／拒否」が「拒否」の場合）、ＧＧＳＮ４は、子番号により該処理サーバ２への接続通知をする。
【００４６】
処理サーバ２では、ＧＧＳＮ４からの接続通知に応じて、ＧＧＳＮ４に接続通知応答をする。これにより、ＧＧＳＮ４では、Create PDP ContextRequestの応答信号となるCreate PDP Context ResponseをＳＧＳＮ３に送り、ＳＧＳＮ３では、これに応じてActivate PDPContext Acceptを移動機１に送ることで、移動機１と処理サーバ２とが通信可能となり、処理サーバ２から移動機１に情報が送られる。ユーザは、移動機１により情報を確認する。
【００４７】
（作用及び効果）
以上のように、ＳＧＳＮ３では、子番号及び代表番号、並びにそれら電話番号のうちで、移動機１が通信に使用する電話番号を示す使用番号フラグを登録するとともに、ＧＧＳＮ４では、処理サーバ２が通信可能な移動機の電話番号の種類を示すＡＰＮプロファイル４ａ（特に「代表番号許可／拒否」）を登録し、移動機１と処理サーバ２との通信に際して、ＳＧＳＮ３は、ＧＧＳＮ４に、登録情報（子番号、代表番号及び使用番号フラグ）を送信するとともに、ＧＧＳＮ４では、ＡＰＮプロファイル４ａの「代表番号許可／拒否」と、ＳＧＳＮ３から送信されてくる登録情報のうちの使用番号フラグとに基づいて、ＳＧＳＮ３から同時に送信されてくる子番号及び代表番号のうちから選択した一の電話番号により、処理サーバ２に接続している。これにより、ＧＧＳＮ４で、処理サーバ２が通信可能な電話番号の種類を制限しつつも、移動機１と処理サーバ２との間で、子番号及び代表番号のうちの一の電話番号、例えばユーザが主に使用する電話番号を用いた通信が可能になる。
【００４８】
また、ＧＧＳＮ４上の処理内で、子番号及び代表番号のうちの一の電話番号を用いた通信が可能になり、通信システムの利便性を高めつつ、通信をすることができる。すなわち例えば、前記第１の実施形態と同様に、ユーザは、代表番号（０Ａ０番号）や子番号（０９０番号）で発信したい場合には、それに応じて使用番号フラグを設定するだけで、処理サーバ２と通信できるようになる。そして、処理サーバ２側でも、ＧＧＳＮ４上でＡＰＮプロファイル４ａの「代表番号許可／拒否」を設定するだけで、希望する電話番号の種類で移動機１と通信できるようになる。つまり、既存処理として子番号でユーザを管理しているサーバの場合、ユーザがワンナンバー契約をして代表番号設定にしたとしても、ＡＰＮプロファイル４ａを拒否にしておけば、サーバには影響を与えず、これまでどおり子番号にてサーバが既存通りの処理ができる効果がある。
【００４９】
なお、前記第２の実施形態の説明において、ＧＧＳＮ４は、無線により通信可能な通信端末である移動機と他の通信端末との通信を行う通信サーバであり、固有の電話番号及び代表の電話番号のうち、どの電話番号で移動機が通信するかを示す情報が登録され、該登録情報に基づいて、固有の電話番号及び代表の電話番号のうちの何れかを、移動機が通信に使用する電話番号となるようにして、移動機と他の通信端末との通信を可能にする通信サーバを実現している。
【００５０】
また、ＧＧＳＮ４は、移動機と他の通信端末との通信時に、他の通信端末が接続される通信サーバであり、登録情報として、他の通信端末が通信可能な移動機の電話番号の種類が登録されており、移動機の固有の電話番号及び代表の電話番号のうち、登録されている電話番号の種類の電話番号により、該移動機と他の通信端末との通信を行う通信サーバを実現している。
【００５１】
また、前記第２の実施形態では、無線により通信可能な通信端末である移動機と他の通信端末とがそれぞれ接続される各通信サーバを介して、前記移動機と他の通信端末との間で通信を行う通信方法において、前記移動機が、複数の網毎に固有の電話番号で通信可能とされつつ、各網共通の代表の電話番号により該各網で通信可能とされており、前記移動機が接続される通信サーバに、前記固有の電話番号及び代表の電話番号、並びにそれら電話番号のうちで、前記移動機が通信に使用する電話番号を示す付加情報を登録するとともに、前記他の通信端末が接続される通信サーバに、前記他の通信端末が通信可能な移動機の電話番号の種類を登録するステップと、前記移動機が接続される通信サーバが、前記移動機と他の通信端末との通信に際して、前記他の通信端末が接続される通信サーバに前記固有の電話番号、代表の電話番号及び付加情報を送信するステップと、前記他の通信端末が接続される通信サーバが、前記移動機と他の通信端末との通信に際して、前記登録されている電話番号の種類と、前記移動機が接続される通信サーバから送信されてくる前記付加情報とに基づいて、同送の前記固有の電話番号及び代表の電話番号のうちから選択した一の電話番号により、前記他の通信端末に接続するステップと、を含む通信方法が実現されている。
【００５２】
（第３の実施形態）
次に第３の実施形態を説明する。
（構成）
第３の実施形態は、本発明を適用した通信システムである。
第３の実施形態では、ＧＧＳＮ４が代表番号により移動機に着信できるようになっている。子番号での着信処理は、網の固有の番号での着信処理であるから、ここでは、代表番号での着信処理の実施形態を説明する。
図１０は、第３の実施形態における通信システムの構成を示す。
図１０に示すように、通信システムは、ＥＮＵＭ  ＤＮＳ（Telephone Number Mapping Domain Name Server）５を備え、ＥＮＵＭ  ＤＮＳ５が登録情報として番号対応テーブル５ａを保持している。
【００５３】
図１１は、番号対応テーブル５ａの構成を示す。
図１１に示すように、番号対応テーブル５ａは、「代表番号」と「子番号」とが対応する構成になっている。
例えば、ＳＧＳＮ３が保持している加入者プロファイル３ａを基に、番号対応テーブル５ａが構成されている。
なお、図１２に、ＳＧＳＮ３が保持する加入者プロファイル３ａの構成を示す。番号対応テーブル５ａは、このようにＳＧＳＮ３が保持する加入者プロファイル３ａを基に構成されている。ＥＮＵＭ  ＤＮＳ５では、この番号対応テーブル５ａにより、「代表番号」と「子番号」との間で変換を行う。
なお、ＳＧＳＮ３が保持する加入者プロファイル３ａは、前記図４に示すように、「使用番号フラグ」を含んで構成されているものであっても良い。
【００５４】
（動作）
通信システムの動作は次のようになる。
図１３は、処理サーバ２からの移動機１に着信要求する場合の通信システムにおけるシーケンスを示す。
処理サーバ２からＧＧＳＮ４に着信通知がなされる。このとき、処理サーバ２は、ＭＳＩＳＤＮを代表番号として、着信通知をする。
ＧＧＳＮ４では、ＥＮＵＭ  ＤＮＳ５にDNS queryを送る。DNS queryは、代表番号と子番号の変換を実現する信号となる。
ＥＮＵＭ  ＤＮＳ５では、ＤＮＳ queryを受けると、番号対応テーブル５ａに従って、代表番号を子番号に変換する。そして、ＥＮＵＭ  ＤＮＳ５は、ＤＮＳqueryの応答信号となるDNS resp.（DNS response)を子番号とともにＧＧＳＮ４に送る。ＧＧＳＮ４では、Send Routing Infofor GPRS RequestをＨＬＲ（Home Location Register）６に送る。
【００５５】
ＨＬＲ６は、移動機１の在圏情報を保持するノードである。通信システム上で各ＳＧＳＮ３が、ある一定の地域を受け持っており、ＨＬＲ６は、移動機１の在圏地域（どのＳＧＳＮ３により着信可能か）を在圏情報として把握している。ＨＬＲ６は、ＧＧＳＮ４からの移動機１の在圏位置の問い合わせとなるSendRouting Info for GPRS Requestがあると、その応答信号となるSend Routing Info for GPRS Responseにより、移動機１のＳＧＳＮアドレスをＧＧＳＮ４に返す。
【００５６】
ＧＧＳＮ４は、PDU Notification RequestをＳＧＳＮ３に送る。PDU Notification Requestは、ＧＧＳＮ４がＳＧＳＮ３に対して着信処理を要求する信号（着信要求信号）である。これにより、ＧＧＳＮ４からＳＧＳＮ３にＰＤＵ（ProtocolData Unit）が通知される。
ＳＧＳＮ３では、Paging Requestを移動機１に送る。Paging Requestは、着信時に移動機１を呼び出す信号（呼び出し信号）である。ＳＧＳＮ３は、移動機１からその応答信号となるPagingResponseが送られてくると、ＰＤＰの活性化を要求する信号となるRequest PDP Context Activationで移動機１に着信処理を指示する。以後は、移動機１から折り返しの発信処理となる。
一方、ＳＧＳＮ３では、ＧＧＳＮ４にCreate PDP Context Requestを送り、ＧＧＳＮ４では、これに対応して、ＭＳＩＳＤＮを代表番号として処理サーバ２に接続通知をする。
【００５７】
（作用及び効果）
以上のように、移動機１と処理サーバ２との通信時に、処理サーバ２が接続（具体的にはＧＧＳＮ４を介して接続）される通信サーバとなるＥＮＵＭ  ＤＮＳ５には、子番号と代表番号とが対応された番号対応テーブル５ａが登録されており、ＥＮＵＭ  ＤＮＳ５は（又はＧＧＳＮ４と協働して）、処理サーバ２が移動機１に接続要求する際、番号対応テーブル５ａに基づいて代表番号を子番号に変換し、すなわち、網に対応した電話番号を選択して、移動機１に接続を要求している。これにより、処理サーバ２から移動機１に接続要求する場合、処理サーバ２が代表番号で着信をしても、子番号及び代表番号のうち、網に適した子番号の電話番号を用いた通信が可能になる。また、ＥＮＵＭ  ＤＮＳ５の処理内で、子番号を用いた通信が可能になり、通信システムの利便性を高めつつ、通信をすることができる。
また、処理サーバ２が子番号で移動機１へ着信をした場合には、網の固有の番号での着信処理であるから、番号対応テーブル５ａにより代表番号を子番号に変換する手順は実施しない。
【００５８】
以上の処理により、処理サーバ２は、複数の電話番号により着信することができる。すなわち、図１４（ａ）に示すように、処理サーバ２が代表番号（０Ａ０番号）で着信したい場合には、そのまま代表番号による着信通知をＧＧＳＮ４にするだけで、移動機１に着信でき、また、図１４（ｂ）に示すように、処理サーバ２が子番号（０９０番号）で着信したい場合には、そのまま子番号による着信通知をＧＧＳＮ４にするだけで、移動機１に着信できる。例えば、処理サーバ２が、通信可能な移動機１の電話番号を子番号又は代表番号の何れか一方で管理している場合でも、それに適合させた電話番号で移動機１に着信することができる。
【００５９】
なお、前記第３の実施形態の説明において、ＥＮＵＭ  ＤＮＳ５は（又はＧＧＳＮ４と協働して）、無線により通信可能な通信端末である移動機と他の通信端末との通信を行う通信サーバであり、固有の電話番号及び代表の電話番号のうち、どの電話番号で移動機が通信するかを示す電話番号の情報が登録され、該登録情報に基づいて、固有の電話番号及び代表の電話番号のうちの何れかを、移動機が通信に使用する電話番号となるようにして、移動機と他の通信端末との通信を可能にする通信サーバを実現している。この場合、子番号と代表番号との変換を行う番号対応テーブル５ａが、固有の電話番号及び代表の電話番号のうち、どの電話番号で移動機が通信するかを示す情報となる。
【００６０】
また、ＥＮＵＭ  ＤＮＳ５は（又はＧＧＳＮ４と協働して）、移動機と他の通信端末との通信時に、他の通信端末が接続される通信サーバであり、登録情報として、固有の電話番号及び代表の電話番号が登録されており、他の通信端末が移動機に接続要求する際、登録されている固有の電話番号及び代表の電話番号のうちから、移動機への接続に対応した一の電話番号を選択して、選択した電話番号で移動機に接続要求して、移動機と他の通信端末との通信を行う通信サーバを実現している。
【図面の簡単な説明】
【００６１】
【図１】本発明の実施形態の通信システムを用いる前提となる通信網を示す図である。
【図２】ワンナンバーサービスの説明に使用した図である。
【図３】本発明の第１の実施形態の通信システムの構成を示す図である。
【図４】前記第１の実施形態の通信システムにおいて、ＳＧＳＮが保持している加入者プロファイルを示す図である。
【図５】前記第１の実施形態の通信システムにおけるシーケンスを示す。
【図６】前記第１の実施形態における効果の説明に使用した図である。
【図７】本発明の第２の実施形態の通信システムの構成を示す図である。
【図８】前記第２の実施形態の通信システムにおいて、ＧＧＳＮが保持しているＡＰＮプロファイルを示す図である。
【図９】前記第２の実施形態の通信システムにおけるシーケンスを示す。
【図１０】本発明の第３の実施形態の通信システムの構成を示す図である。
【図１１】前記第３の実施形態の通信システムにおいて、ＥＮＵＭ  ＤＮＳが保持している番号対応テーブルを示す図である。
【図１２】前記第３の実施形態の通信システムにおいて、ＳＧＳＮが保持している加入者プロファイルを示す図である。
【図１３】前記第３の実施形態の通信システムにおけるシーケンスを示す。
【図１４】前記第３の実施形態における効果の説明に使用した図である。
【符号の説明】
【００６２】
１  移動機、２  サーバ、３  ＳＧＳＮ、３ａ  加入者プロファイル、４  ＧＧＳＮ、４ａ  ＡＰＮプロファイル、５  ＥＮＵＭ  ＤＮＳ、５ａ  番号対応テーブル、１００  ３ＧＰＰ網、２００  ＷＬＡＮ
【図１】
2008079087.tif 000003
【図２】
2008079087.tif 000004
【図３】
2008079087.tif 000005
【図４】
2008079087.tif 000006
【図５】
2008079087.tif 000007
【図６】
2008079087.tif 000008
【図７】
2008079087.tif 000009
【図８】
2008079087.tif 000010
【図９】
2008079087.tif 000011
【図１０】
2008079087.tif 000012
【図１１】
2008079087.tif 000013
【図１２】
2008079087.tif 000014
【図１３】
2008079087.tif 000015
【図１４】
2008079087.tif 000016